(57)【要約】【課題】外観が凹凸のある変化に富んだ意匠性に優れたデザインのカーテンウォールとする。【解決手段】カーテンウォールユニット１のユニット枠１０における窓部を形成する枠部の室外側部に窓部用室外側窓２０を取付けて窓部１ａとし、前記ユニット枠１０におけるスパンドレル部を形成する枠部の室内側部にスパンドレル部用室外側窓３０を取付けてスパンドレル部１ｂとすることで、スパンドレル部１ｂが凹んだ外観となるようにして、カーテンウォールの外観を凹凸のある変化に富んだ意匠性に優れたデザインとする。【選択図】図２
2010065450.tif 000002
【特許請求の範囲】
【請求項１】
窓部とスパンドレル部を備えたカーテンウォールユニットを、建物躯体に取付けたカーテンウォールであって、
前記カーテンウォールユニットは、ユニット枠における窓部を形成する枠部の室外側部に窓部用室外側窓を取付け、前記ユニット枠におけるスパンドレル部を形成する枠部の室内側部にスパンドレル部用室外側窓を取付け、前記スパンドレル部の室外側面を窓部の室外側面よりも室内寄りとしたことを特徴とするカーテンウォール。
【請求項２】
ユニット枠は、上下中間部に窓部を形成する枠部を有すると共に、上部と下部にスパンドレル部を形成する枠部を有し、
前記窓部を形成する枠部の室外側部に、窓部用室外側窓を取付けると共に、前記各スパンドレル部を形成する枠部の室内側部にスパンドレル部用室外側窓をそれぞれ取付けた請求項１記載のカーテンウォール。
【請求項３】
ユニット枠の窓部を形成する枠部の室内側部に室内側窓を取付けて中間空気層を形成し、
前記中間空気層の下部を吸気口で室外に連通すると共に、その中間空気層の上部を排気口で室外に連通して外気が流通するようにした請求項１又は２記載のカーテンウォール。
【請求項４】
ユニット枠の窓部を形成する枠部は、左右の縦材と、上の横材と、下の横材を有し、
前記下の横材に吸気口を、その下の横材の上面と下面に開口して形成し、
前記上の横材は、見込み寸法が大きな主横材と見込み寸法の小さな補助横材を備え、
その主横材の室内側部に室内側窓の上部が取付けられ、前記補助横材に窓部用室外側窓の上部が取付けられ、
前記主横材の室外側部の下面と前記補助横材の上面が離隔して排気口を形成している請求項３記載のカーテンウォール。
【請求項５】
カーテンウォールユニットは、左右の縦材と上横材と上中間横材と下中間横材と下横材で、上枠部と中間枠部と下枠部を有するユニット枠を備え、
前記左右の縦材の室外側部と上中間横材、下中間横材の室外側部に亘って窓部用室外側窓を取付けて窓部とし、
前記左右の縦材の室内側部と上横材、上中間横材の室内側部とに亘ってスパンドレル部用室外側窓を取付けて上のスパンドレル部とし、
前記左右の縦材の室内側部と下中間横材、下横材の室内側部とに亘ってスパンドレル部用室外側窓を取付けて下のスパンドレル部とした請求項１記載のカーテンウォール。
【発明の詳細な説明】
【技術分野】
【０００１】
本発明は、建物の外壁を構成するカーテンウォールに関する。
【背景技術】
【０００２】
従来、建物の外壁を構成するカーテンウォールとしては、例えば特許文献１に開示したように、建物の居室と対向した窓部と、下の階の天井、建物躯体、上の階の床などの上下階の境界部と対向したスパンドレル部を上下方向及び左右方向に複数備えたものが知られている。
【特許文献１】実公平２−４１７４号公報
【発明の開示】
【発明が解決しようとする課題】
【０００３】
前述した窓部とスパンドレル部を備えたカーテンウォールにおいては、その窓部の室外側面とスパンドレル部の室外側面が面外方向に同一位置であるので、その窓部とスパンドレル部を室外から見たときに、その窓部の室外側面とスパンドレル部の室外側面が連続した平坦に見え、そのカーテンウォールの外観が変化の少ない単調なデザインとなる。
【０００４】
本発明の目的は、外観が凹凸のある変化に富んだ意匠性に優れたデザインのカーテンウォールとすることである。
【課題を解決するための手段】
【０００５】
本発明は、窓部とスパンドレル部を備えたカーテンウォールユニットを、建物躯体に取付けたカーテンウォールであって、
前記カーテンウォールユニットは、ユニット枠における窓部を形成する枠部の室外側部に窓部用室外側窓を取付け、前記ユニット枠におけるスパンドレル部を形成する枠部の室内側部にスパンドレル部用室外側窓を取付け、前記スパンドレル部の室外側面を窓部の室外側面よりも室内寄りとしたことを特徴とするカーテンウォールである。
【０００６】
本発明においては、ユニット枠は、上下中間部に窓部を形成する枠部を有すると共に、上部と下部にスパンドレル部を形成する枠部を有し、
前記窓部を形成する枠部の室外側部に、窓部用室外側窓を取付けると共に、前記各スパンドレル部を形成する枠部の室内側部にスパンドレル部用室外側窓をそれぞれ取付けることができる。
このようにすれば、カーテンウォールユニットを室外から見たときに、上部と下部が凹んだ凹凸状に見えるので、カーテンウォールの外観は多くの凹凸があるより変化に富んだ意匠性がより優れたデザインとなる。
【０００７】
本発明においては、ユニット枠の窓部を形成する枠部の室内側部に室内側窓を取付けて中間空気層を形成し、
前記中間空気層の下部を吸気口で室外に連通すると共に、その中間空気層の上部を排気口で室外に連通して外気が流通するようにできる。
このようにすれば、窓部の断熱性能を優れたものにできる。
【０００８】
本発明においては、ユニット枠の窓部を形成する枠部は、左右の縦材と、上の横材と、下の横材を有し、
前記下の横材に吸気口を、その下の横材の上面と下面に開口して形成し、
前記上の横材は、見込み寸法が大きな主横材と見込み寸法の小さな補助横材を備え、
その主横材の室内側部に室内側窓の上部が取付けられ、前記補助横材に窓部用室外側窓の上部が取付けられ、
前記主横材の室外側部の下面と前記補助横材の上面が離隔して排気口を形成することができる。
このようにすれば、吸気口が正面から見えず外観上スッキリとした見え方にできる。
また、吸気口を室内外側方向の長孔形状とすることで、その吸気口の開口面積を大きくできるので、下の横材の上下寸法を大きくせずに吸気口の開口面積を大きくできる。
また、主横材と補助横材を縦材に取付けることで排気口を形成できる。
【０００９】
本発明においては、カーテンウォールユニットは、左右の縦材と上横材と上中間横材と下中間横材と下横材で、上枠部と中間枠部と下枠部を有するユニット枠を備え、
前記左右の縦材の室外側部と上中間横材、下中間横材の室外側部に亘って窓部用室外側窓を取付けて窓部とし、
前記左右の縦材の室内側部と上横材、上中間横材の室内側部とに亘ってスパンドレル部用室外側窓を取付けて上のスパンドレル部とし、
前記左右の縦材の室内側部と下中間横材、下横材の室内側部とに亘ってスパンドレル部用室外側窓を取付けて下のスパンドレル部とすることができる。
このようにすれば、左右の縦材の内面と上横材の下面と上中間横材の上面とスパンドレル部用室外側窓とで凹陥部を形成すると共に、左右の縦材の内面と下中間横材の下面とスパンドレル部用室外側窓とで凹陥部を形成するので、カーテンウォールユニットを見たときに、凹陥部が目立ち、窓部の上と下が明らかに凹んだ著しく変化に富んだデザインとなる。
【発明の効果】
【００１０】
本発明によれば、カーテンウォールを設置した外壁を室外から見た際、カーテンウォールユニットは、そのスパンドレル部が凹んだ凹凸状に見え、そのカーテンウォールユニットが上下、左右に連続したカーテンウォールの外観は、凹凸がある変化に富んだ意匠性が優れたデザインとなる。
【発明を実施するための最良の形態】
【００１１】
図１と図２に示すように、カーテンウォールユニット１を建物躯体２に、上下方向、左右方向に連続して取付けてカーテンウォールとし、そのカーテンウォールで外壁を構成している。
前記カーテンウォールユニット１は、建物の居室３と対向した窓部１ａと、上下に隣接した窓部１ａ間のスパンドレル部１ｂを有し、そのスパンドレル部１ｂは建物の上下階の境界部４と対向している。
前記居室３は床５と天井６との間の部分で、前記境界部４は下の階の天井６と上の階の床５との間の部分である。
この実施の形態では、床５と連続して腰壁７を備え、この腰壁７と前記境界部４が上下に連続し、この腰部７、境界部４に対向する部分をスパンドレル部１ｂとしてある。
要するに、１つのカーテンウォールユニット１の上部と下部にスパンドレル部１ｂをそれぞれ備え、下の階のカーテンウォールユニット１の上のスパンドレル部１ｂと上の階のカーテンウォール１の下のスパンドレル部１ｂが連続し、境界部４、腰壁７と対向する。
【００１２】
前記カーテンウォールユニット１はユニット枠１０を備え、図２と図４に示すように、このユニット枠１０における窓部１ａを形成する枠部の室外側部、この実施の形態では腰壁７と天井６との間の枠部の室外側部に、アウタースキンと呼ばれる窓部用室外側窓２０が取付けてある。
図２と図３に示すように、前記ユニット枠１０におけるスパンドレル部１ｂを形成する枠部の室内側部、この実施の形態では腰壁７と対向した下の枠部の室内側部と、境界部４と対向した上の枠部の室内側部にスパンドレル部用室外側窓３０が取付けてある。
【００１３】
このようであるから、スパンドレル部用室外側窓３０の室外面、つまり、スパンドレル部１ｂの室外側面が、窓部用室外側窓２０の室外面、つまり、窓部１ａの室外側面よりも室内寄りとなるので、カーテンウォールユニット１を室外から見たときにスパンドレル部１ｂが凹んだ凹凸状に見え、そのカーテンウォールユニット１が上下、左右に連続したカーテンウォールの外観は、凹凸がある変化に富んだ意匠性が優れたデザインとなる。
【００１４】
また、この実施の形態では、ユニット枠１０の上下中間部に窓部１ａを形成する枠部を有し、その枠部の室外側部に窓部用室外側窓が取付けてあり、前記ユニット枠１０の上部、下部にスパンドレル部１ｂを形成する枠部をそれぞれ有し、その各枠部の室内側部にスパンドレル部用室外側窓が取付けられることで、上下中間部に窓部１ａを有し、上部と下部にスパンドレル部１ｂを有しているので、ユニット枠１０を室外から見たときに、上下中間部が凸で、上部と下部が凹んで見えるから、カーテンウォールの外観は多くの凹凸があるより変化に富んだ意匠性がより優れたデザインとなる。
【００１５】
次に、各部の詳細を説明する。
前記ユニット枠１０は、図１に示すように、左右の縦枠１１，１１と、上横材１２と上中間横材１３と下中間横材１４と下横材１５で上枠部１６、中間枠部１７、下枠部１８を有する方形状である。
前記上枠部１６と下枠部１８が前述したスパンドレル部１ｂを形成する枠部で、前記中間枠部１７が前述した窓部１ａを形成する枠部である。
そして、上中間横材１３が窓部１ａを形成する枠部の上の横材で、下中間横材１４が窓部１ａを形成する枠部の下の横材である。
【００１６】
前記上中間横材１３、下中間横材１４の室外側部と左右の縦材１１の室外側部（つまり、中間枠部１７の室外側部）に亘って室外側ガラス２０ａを装着して窓部用室外側窓２０としてある。
前記上中間横材１３、下中間横材１４の室内側部と左右の縦材１１の室内側部（つまり、中間枠部１７の室内側部）とに亘ってインナースキンと呼ばれる室内側窓２１を取付けて前記中間枠部１７に中間空気層２２を形成している。
この中間空気層２２の下部は、前記下中間横材１４に形成した吸気口２３で室外に連通し、その中間空気層２２の上部は、前記上中間横材１３に形成した排気口２４で室外に連通している。
このようであるから、中間空気層２２内には図２に矢印で示すように外気が流通し、断熱性能が優れたものとなる。要するに窓部１ａは、いわゆるダブルスキン構造となっている。
前記中間空気層２２には日射遮蔽材、例えばブラインド２５が設けてある。
これによって、日射を遮蔽し、中間空気層２２の熱気を外部に排出できるので、窓部１ａの日射遮蔽性能を優れたものにできる。
【００１７】
前記窓部１ａの下部は凹んだ形状のスパンドレル部１ｂで、前記下中間横材１４の下面が凹んだスパンドレル部１ｂの上内面を形成しているから、前記吸気口２３を、前記下中間横材１４の室内外側方向の中間に、上面と下面に開口して形成することができる。
したがって、室外から見たときに吸気口２３が見えないので、見栄えが良い。
また、吸気口２３を室内外側方向に長くすることで、開口面積を大きくして多量の外気が流入するようにできるので、下中間横材１４の上下寸法を大きくせずに吸気口２３の開口面積を大きくできる。
【００１８】
前記上横材１２、上中間横材１３の室内側部と左右の縦材１１の室内側部（つまり、上枠部１６の室内側部）とに亘って室外側ガラス３０ａを装着してスパンドレル部用室外側窓３０としてある。
これによって、上のスパンドレル部１ｂは、左右の縦材１１の内面と上横材１２の下面と上中間横材１３の上面とスパンドレル部用室外側窓３０とで凹陥部を形成する。
したがって、カーテンウォールユニット１を室外から見たときに、その凹陥部が著しく目立ち、窓部１ａの上が明らかに凹んだデザインとなる。
前記上枠部１６には、前記室外側ガラス３０ａよりも室内寄りに耐火ボード３１が取付けてある。
【００１９】
前記下中間横材１４、下横材１５の室内側部と左右の縦材１１の室内側部（つまり、下枠部１８の室内側部）に亘って室外側ガラス３０ａを装着してスパンドレル部用室外側窓３０としてある。
これによって、下のスパンドレル部１ｂは、左右の縦材１１の内面と下中間横材１４の下面と下横材１５の上面とスパンドレル部用室外側窓３０とで凹陥部を形成する。
したがって、カーテンウォールユニット１を室外から見たときに、その凹陥部が著しく目立ち、窓部１ａの下が明らかに凹んだデザインとなる。
前記下枠部１８には、前記室外側ガラス３０ａよりも室内寄りに耐火ボード３１が取付けてある。
要するに、上のスパンドレル部１ｂと下のスパンドレル部１ｂは同一形状としてある。
【００２０】
図５に示すように、前記上中間横材１３、つまり、窓部１ａを形成する枠部の上の横材は、主横材４０と補助横材５０を有している。
前記主横材４０は室内側部材４１と横向片４２を備え、その室内側部材４１が縦材１１の室内側寄りに固着されて横向片４２が室外側に向かい、その横向片４２の室外側端部が縦材１１の室外側端部と面一となっている。
前記室内側部材４１、つまり主横材４０の室内側部に窓部用の室内側窓２１の上部が取付けてある。
【００２１】
前記補助横材５０は、見込み寸法（室内外側方向の寸法）が主横材４０の見込み寸法よりも小さい。この補助横材５０は縦材１１の室外側寄りに、前記主横材４０の室内側部材４１よりも室外側で、かつ横向片４２よりも下方に位置して固着され、その横向片４２の下面４２ａと補助横材５０の上面５０ａが離隔して前記排気口２４を形成している。
前記補助横材５０に窓部用室外側窓２０の上部が取付けてある。
前記横向片４２の下面４２ａと補助横材５０の上面５０ａとに亘って縦リブ５１を取付け、この縦リブ５１にフィン５２が取付けてある。
このようであるから、主横材４０と補助横材５０を縦材１１に固着して取りつけることで排気口２４を形成できる。
【００２２】
前記窓部１ａの室内側窓２１は、サッシ枠２１ａにガラス２１ｂを装着したガラス障子で、前記主横材４０の室内側部材４１にフック２１ｃで開閉自在に取付けてある。
【００２３】
前記下中間横材１４は、室内側部材１４ａと室外側部材１４ｂと中間部材１４ｃを縦材１１に固着し、その室内側部材１４ａと中間部材１４ｃの間、中間部材１４ｃと室外側部材１４ｂの間を吸気口２３としてある。
前記補助横材５０と下中間横材１４の室外側部材１４ｂと左右の縦材１１とに亘って室外側ガラス２０ａを装着して窓部用室外側窓２０としてある。
【００２４】
この実施の形態では、ユニット枠１０の上部と下部にスパンドレル部１ｂを形成したが、ユニット枠１０の上部にのみスパンドレル部１ｂを形成することができる。
例えば、腰壁７を設けずに床５まで窓部１ａとする。または、下のスパンドレル部１ｂを上のスパンドレル部１ｂの上に一体に設ける。
この場合には、下横材１５を前記下中間横材１４と同一形状として吸気口２３を有する下横材とする。
【００２５】
前記中間空気層２２に内気（室内の空気）を流通するようにしても良い。
例えば、下中間横材１４の吸気口２３を室内に連通し、上中間横材１３の排気口２４を室内に連通する。
【００２６】
前記中間空気層２２に外気が流通しないようにしても良い。
例えば、図６に示すように、上中間横材１３を排気口２４を有しない形状とし、下中間横材１４を吸気口２３を有しない形状として中間空気層２２を密閉する。
【００２７】
前記中間空気層２２を有しない窓部１ａとしても良い。
例えば、図７に示すように、室内側窓２１を有しないと共に、上中間横材１３を排気口２４を有しない形状とし、下中間横材１４を吸気口２３を有しない形状とする。
【図面の簡単な説明】
【００２８】
【図１】本発明の実施の形態を示すカーテンウォールの一部を示す外観図である。
【図２】図１のＡ−Ａ断面図である。
【図３】図１のＢ−Ｂ断面図である。
【図４】図１のＣ−Ｃ断面図である。
【図５】カーテンウォールユニットの詳細縦断面図である。
【図６】第２の実施の形態を示す縦断面図である。
【図７】第３の実施の形態を示す縦断面図である。
【符号の説明】
【００２９】
１…カーテンウォールユニット、１ａ…窓部、１ｂ…スパンドレル部、２…建物躯体、３…居室、４…境界部、７…腰壁、１０…ユニット枠、１１…縦材、１２…上横材、１３…上中間横材、１４…下中間横材、１５…下横材、１６…上枠部、１７…中間枠部、１８…下枠部、２０…窓部用室外側窓、２１…室内側窓、２２…中間空気層、２３…吸気口、２４…排気口、３０…スパンドレル用室外側窓、３１…耐火ボード、４０…主横材、５０…補助横材。
【図１】
2010065450.tif 000003
【図２】
2010065450.tif 000004
【図３】
2010065450.tif 000005
【図４】
2010065450.tif 000006
【図５】
2010065450.tif 000007
【図６】
2010065450.tif 000008
【図７】
2010065450.tif 000009